(57)【特許請求の範囲】
【請求項１】
工事現場の入口部に配置する高さ制限装置であって、
前記高さ制限装置は、
前記入口部の両側に所定の間隔をおいて立設する支柱の間で、所定の高さに線状部材を配置して設け、
前記線状部材の一方の端部を支柱に固定し、
前記線状部材の他方の端部に対して警報出力部を設け、
前記警報出力部では、前記線状部材の端部とリミットスイッチ機構とを、各々上下のシャックルに接続し、前記２つのシャックルの間に切断部材を設け、
前記下部のシャックルをリミットスイッチ機構のアイ付ロッドに接続して、
前記線状部材に規定の値以上の張力が付与された場合に前記切断部材が切断され、アイ付ロッドがリミットスイッチ機構を作動させて、警報出力部を動作させるように構成したことを特徴とする。
【発明の詳細な説明】
【０００１】
【発明の属する技術分野】
本発明は、工事現場等に侵入する車両の高さ制限装置、もしくは、工事現場での工事車両の制限高さ設定装置に関する。
【０００２】
【従来の技術】
従来より、踏切や高架橋のガードの直前部には、通過する車両の高さを制限するために、鋼材で作成した門型の高さ制限装置が設置されており、また、工事現場等においても、構造物の下部を通過する車両の高さを制限するために、種々の高さ制限手段が用いられている。そして、前記高さ制限手段を配置することにより、その構造物の下を通過する車両の上部の突出物が当ったりしないように制限している。前記工事現場等においては、クレーン車のような作業車両に対しても、高さ制限装置を設けることが要求される場合があり、特に、電線や既設の構造物等の下部で荷物の取扱いを行ったり、工事を行う場合には、クレーンのブームが制限高さ以上に上昇することを防止し、安全を確保するために設けられることもある。前記クレーン車のような工事車両の上部高さ制限手段としては、アームの突出長さと傾斜角度の情報にもとづいて、車両に設けた安全装置が警報を発するようにしたものもあるが、一般のトラックに装備する小型のクレーン等においては、その安全確保は運転者の注意に依存している。
【０００３】
【発明が解決しようとする課題】
ところが、前記高架橋の入り口部に配置するような、強度の大きい門型の高さ制限装置を用いる場合には、その制限高さ以上の高い車両の通過は阻止できるが、工事現場等でそのような装置を用いた場合には、車両に積載した荷物の上部を破損するという問題がある。そこで、前記荷物の上部を破損しないようにするために、光センサを用いることが一般には考えられるが、光センサを用いた場合には、鳥が飛んだことも検知する場合が多くあり、そのような誤報が多発する場合には、警報音が周囲の住民等に無用な影響を与える等の欠点となる。
【０００４】
本発明は、前述したような従来の検知装置の問題を解消しようとするもので、制限高さに張った線状部材に対して、容易に切断される部分を介して検知手段を接続して、検知の動作を正確に行い得るとともに、復旧を容易に行い得る装置を提供することを目的としている。
【０００５】
【課題を解決するための手段】
本発明は、工事現場の入口部に配置する高さ制限装置に関する。
本発明においては、前記さ制限装置は、前記入口部の両側に所定の間隔をおいて立設する支柱の間で、所定の高さに線状部材を配置して設け、
前記線状部材の一方の端部を支柱に固定し、
前記線状部材の他方の端部に対して警報出力部を設け、
前記警報出力部では、前記線状部材の端部とリミットスイッチ機構とを、各々上下のシャックルに接続し、前記２つのシャックルの間に切断部材を設け、
前記下部のシャックルをリミットスイッチ機構のアイ付ロッドに接続して、
前記線状部材に規定の値以上の張力が付与された場合に前記切断部材が切断され、アイ付ロッドがリミットスイッチ機構を作動させて、警報出力部を動作させるように構成したことを特徴とする。
【０００８】
前述したように構成したことにより、線状部材とリミットスイッチ機構とを組み合わせたのみの、構造の簡単な装置として構成することにより、高さ制限装置の製造コストと維持コストを低く維持することができる。また、線状部材を任意の高さに設定することができるので、任意の場所での高さの制限手段として用いることができる。さらに、切断部材を用いることによって、線状部材が損傷することを防ぎ、切断部材を交換することによって、容易に回復することができる。そして、電源として乾電池等を使用することで、装置を容易に移動させることができ、警報出力部として任意の警告手段を用いて、機械のオペレータやトラックのドライバーに対する警告を行うことができる。
【０００９】
【発明の実施の形態】
図示する例にしたがって、本発明の装置の構成を説明する。図１に示す例は、本発明の装置の主要部を説明しているもので、工事現場等の入口部に配置する高さ制限装置１は、所定の間隔をおいて立設する支柱２、２ａの間に、現場での制限高さ（Ｈ）に対応させて線状部材６を配置して設けている。前記線状部材６は、一方の支柱２に固定部材４を用いて端部を固定し、他方の支柱２ａには案内部材５を介して移動可能に支持し、前記線状部材６の端部には切断部材８を介してリミットスイッチ機構１０を接続している。前記リミットスイッチ機構１０には、接続ケーブル１５を介して警報出力部１７を配置し、線状部材６に異常な張力が付与されることにより切断部材８が切断されると、その異常状態をリミットスイッチ機構１０が検知し、その検知信号により警報出力部１７のパトライトと呼ばれる警告灯１８等を作動させるようにする。前記警報出力部１７では、装置の電源としての給電装置１９を設け、警告灯１８の点灯や、ブザー等の警告音の出力手段を用いて、異常事態の発生を知らせるようにする。
【００１０】
前記線状部材６は、常時一定の張力が付与される状態に配置しており、前記線状部材６の端部とリミットスイッチ機構１０との間には、図２に示すように、切断部材８を上下のシャックル７、９の間に配置している。前記上部のシャックル７を線状部材６に接続し、下部のシャックル９をリミットスイッチ機構１０のアイ付ロッド１２に接続して、線状部材６に規定の値以上の張力が付与された場合に切断部材８が切断され、アイ付ロッド１２がリミットスイッチ機構１０を作動させるようにする。前記リミットスイッチ機構１０は、支柱２ａに任意の固定具を用いて取り付けているもので、スイッチボックス１１の内部に配置するリミットスイッチ機構１０に対してアイ付ロッド１２の端部を位置させて、線状部材６の張力が付与されなくなった状態、つまり、切断部材８が切断された状態で、リミットスイッチ機構１０が検知信号を出力する。
【００１１】
前記リミットスイッチ機構１０に対して配置するアイ付ロッド１２は、上端部のアイを下部シャックル９に接続し、リミットスイッチ機構１０に対応させて位置する部分には、スプリング１３による付勢手段を設け、その下降位置を規制するために、上部に調整ナット１４を配置している。そして、前記切断部材８が切断されると、線状部材６による張力がゼロとなるので、スプリング１３の力により、アイ付ロッド１２の下端部がリミットスイッチ機構１０に突き当たり、前記リミットスイッチ機構１０を作動させて、警報出力部１７の動作を行わせる。なお、前記リミットスイッチ機構１０を警報出力部１７の動作手段として用いる他に、前記リミットスイッチ機構１０は異常状態の検知信号を出力するのみの装置として構成することができ、その場合には、リミットスイッチ機構１０から出力される信号により、図示を省略する制御装置を用いて、警報出力部１７に配置する警告灯１８等の装置に表示信号を出力することもできる。
【００１２】
前記リミットスイッチ機構１０の出力部には、図１、２に示すように、コネクタ１６を介してケーブル１５が接続され、前記ケーブル１５の他端部には、コネクタ１６ａを用いて警報出力部１７が接続される。前記警報出力部１７に配置する警告灯１８に対しては、装置を動作させるために、乾電池等による電源装置１９を配置している。なお、前記給電装置１９としては、工事現場の使用期間に対応させて、乾電池以外の任意の電源を用いることができるもので、蓄電池を用いることや、１００Ｖの電源からトランスにより降圧して所定の電圧に設定して使用することも当然可能である。
【００１３】
前記図１に示すような構成を有する高さ制限装置１は、図３に示すように、工事現場での高さ制限装置として用いることが可能である。例えば、工事現場や高さを制限する必要のあるゲートの入口部に高さ制限装置１を設置し、制限高さＨの位置に線状部材６を配置して、運搬車両２０等の入門する車両の高さの制限を行うようにする。そして、前記線状部材６により制限される高さよりも背の高い車両が入門する場合には、当然運搬車両２０の上部に線状部材６が引っ掛かって、実線で示す位置から鎖線で示す状態に引っ張られる。前述したようにして、線状部材６に異常な張力が付与されると、前記線状部材６の端部に係止されている切断部材８が破断されるので、リミットスイッチ機構１０が作動して警報出力部１７の警告灯１８等の警告手段を作動させる。したがって、工事現場での高さ制限手段に引っ掛かるような背の高い運搬車両等は、ゲートを通過できないようにすることで、現場の安全性を維持することができる。
【００１４】
図４に示す例は、クレーン装置２１のような装置を用いて作業を行う場合に、クレーン装置のアームの上限位置を規制する場合を示している。例えば、送電線２５や電話線２６等の下で作業を行う場合に、アームが送電線２５に接触すると、オペレータが感電することがあり、また、送電線２５等に接触して電線を切断する等の、不都合な事故が発生することを防止するようにしている。前記電柱２４、２４ａ……に支持される送電線２５の下でクレーン装置２１により荷役を行う場合や、構造物の設置工事を行う場合には、図示されるように、安全な高さの余裕を想定した位置に線状部材６を配置する。前記クレーン装置２１を用いて作業を行う範囲が比較的広い場合には、支柱２、２ａを所定の間隔で多数立設して設け、前記支柱の端部のものに線状部材６の一端部を固定し、線状部材６の他端部には案内部材５を介してリミットスイッチ機構１０を接続する。
【００１５】
なお、前記図４に示す例においては、線状部材６に対して所定の張力を付与するために、リミットスイッチ機構１０に対してウエイト２３を取付け、前記ウエイト２３の重量で引っ張ることにより、線状部材６にたるみが生じないようにして水平に張らせるようにする。また、前記多数本の支柱２、２ａ……を配置する場合には、例えば、両端部の支柱に対しては、控え柱３、３ａ等を配置して、控えワイヤにより支柱が倒れないように保持させる。さらに、前記線状部材６により広い範囲で高さ制限を行う場合には、多数のリミットスイッチ機構１０……を任意の位置に配置し、クレーン装置２１による作業位置が移動したとしても、オペレータが容易に気付くことができるようにする。
【００１６】
前記高さ制限装置において、リミットスイッチ機構１０と線状部材６の間を接続する切断部材８は、十ないし十数ｋｇの張力が加えられると、容易に破断する性質を有する部材を用いることが可能である。例えば、前記切断部材８として、その破断強度が既知の線材を用いることにより、線状部材６に異常な張力が加えられた時に、リミットスイッチ機構を作動させることができる。また、前記切断部材８としては、複数の予備部品を用意しておくことで、切断部材８が破断した後の回復処理を容易に行うことができる。
【００１７】
なお、前記高さ制限装置１において、ゲートの部分等での高さ制限手段として用いる場合や、クレーン装置のアーム上昇高さの制限に用いる場合には、線状部材６として絶縁物を被覆したワイヤや、合成繊維製のロープ等を用いることができる。そして、前記線状部材の破断強度を大きな値として形成することにより、線状部材が容易に損傷することがないように構成することができる。これに対して、例えば、工事現場での侵入者を検知するための手段として、本発明の装置を用いる場合には、線状部材が非常に細くて容易に破断する性質を有するものを用いることができる。そのような侵入防止手段として高さ制限装置を変形して用いる場合には、侵入しようとするものが容易に線状部材を認識できないものとして形成し、リミットスイッチ機構としても非常に小さい力が作用するのみで、検知情報を出力できるように改良したものを用いる。そして、前記侵入防止に用いる線状部材は、低コストで容易に付け替えできるものとすれば、防犯のためのコストを低下させることができる。
【００１８】
【発明の効果】
本発明の装置は、前述したように構成したものであるから、線状部材とリミットスイッチ機構とを組み合わせたのみで、構造の簡単な装置として構成することにより、高さ制限装置の製造コストと維持コストを低く維持することができる。また、線状部材を任意の高さに設定することができるので、任意の場所での高さの制限手段として用いることができる。さらに、切断部材を用いることによって、線状部材が損傷することを防ぎ、切断部材を交換することによって、容易に回復することができる。そして、電源として乾電池等を使用することで、装置を容易に移動させることができ、警報出力部として任意の警告手段を用いて、機械のオペレータやドライバーに対する警告を行うことができる。
【図面の簡単な説明】
【図１】本発明の高さ制限装置の構成を示す説明図である。
【図２】リミットスイッチ機構の構成を示す説明図である。
【図３】ゲートの高さ制限装置として設ける例の説明図である。
【図４】クレーン装置による作業高さの制限装置として用いる例の説明図である。
【符号の説明】
１    高さ制限装置、  ２    支柱、  ３    控え柱、  ４    固定部材、
５    案内部材、  ６    線状部材、  ７・９    シャックル、
８    切断部材、  １０    リミットスイッチ機構、
１１    スイッチボックス、  １２    アイ付ロッド、
１３    スプリング、  １４    調節ナット、  １５    ケーブル、
１６    コネクタ、  １７    警報出力部，  １８    警告灯、
１９    給電装置、  ２０    運搬車両、  ２１    クレーン装置、
２３    ウエイト、  ２４    電柱、  ２５    送電線、  ２６    電話線。
【図１】
0003556580.tif 000002
【図２】
0003556580.tif 000003
【図３】
0003556580.tif 000004
【図４】
0003556580.tif 000005